(57)【要約】【課題】  アンテナを内蔵する携帯電話において、アンテナと携帯電話の送受信回路基板とを確実に接続することができるアンテナばねを提供する。【解決手段】  平板状の本体部１１と、この本体１１部から延伸されたレッグ部１２とを備え、ばね性を有する金属で形成されたアンテナばね１０に、レッグ部１２と反対方向に伸びるアーム部１４を少なくとも１つ設けたものである。このアンテナばね１０は、携帯電話１のフロントケース３に突設されたボス部９に、リヤケース２を挿通したねじ７によってアンテナ６と共締めされる。この状態でアンテナばね１０のレッグ部１２は、携帯電話１のフロントケース３に取り付けられた送受信回路のアンテナ接続パターンに弾性接触する。また、アーム部１４はアンテナ６に弾性接触するので、アンテナ６と本体部１１との共締めが緩くても、確実にアンテナ６を回路基板５に接続する。【選択図】      図３
2007035361.tif 000002
【特許請求の範囲】
【請求項１】
平板状の本体部と、この本体部が属する平面から離れる方向に前記本体部から延伸されたレッグ部とを備え、ばね性を有する金属で形成された接続端子であって、前記本体部が導電体にねじで共締めされ、前記レッグ部が前記導電体から水平方向及び垂直方向に離れた位置にある、回路基板上に設けられた回路パターンに接触することによって、前記導電体を前記回路基板に電気的に接続する接続端子において、前記本体部に、前記レッグ部の前記延伸方向と反対方向に延伸したアーム部を、少なくとも１本設けたことを特徴とする接続端子。
【請求項２】
請求項１に記載の接続端子であって、
前記導電体と前記接続端子の本体部は、前記ねじによって前記回路基板が取り付けられる筐体に突設されたボス部にねじ止めされることを特徴とする接続端子。
【請求項３】
請求項１又は２に記載の接続端子であって、
前記本体部が矩形であり、前記レッグ部が前記本体部の一辺に突設され、前記アーム部が前記本体部の他の３つの辺の少なくとも１辺に設けられていることを特徴とする接続端子。
【請求項４】
請求項１から３の何れか１項に記載の接続端子であって、
前記導電体が携帯電話の筐体内に設けられたアンテナであり、
前記回路基板が前記携帯電話の送受信回路基板であり、
前記アンテナは、前記送受信回路基板と重ならない位置に設けられることを特徴とする接続端子。
【請求項５】
請求項１から４の何れか１項に記載の接続端子であって、
前記アーム部の先端部に湾曲した折れ曲がり部が形成されていることを特徴とする接続端子。
【発明の詳細な説明】
【技術分野】
【０００１】
本発明は、接続端子に関し、特に、電子機器に内蔵された回路基板上に設けられた回路パターンに接触するばね性を備えたレッグ部と、このレッグ部に接続され、回路基板から離れた位置にある導電体とネジで共締めされる本体部とを備えた接続端子に関するものである。
【背景技術】
【０００２】
コンピュータを内蔵する通信装置の小型化が進み、音声やデータを送受信することができる携帯電話を手軽に所持することができるようになった。このような携帯電話には、その筐体に通信用のアンテナが装備されている。従来の携帯電話に装備されるアンテナは、携帯電話の使用時に携帯電話本体から引き出し、不使用時には携帯電話本体内に押し込んでおくロッドアンテナが一般的であった。
【０００３】
ところが、近年、このようなロッドアンテナに加えて、携帯電話本体内に受信用のダイバシティアンテナとして、内蔵アンテナを備えるものが実用化されている。ロッドアンテナと内蔵アンテナの両方を備える携帯電話は特許文献１に記載されている。
【０００４】
また、送受信用のアンテナとして、ロッドアンテナに代わって内蔵アンテナのみを備える携帯電話も出現している。図１は、このような内蔵アンテナのみを備えた従来の携帯電話１の、リヤケース２とフロントケース３を備えた送話器側の筐体のみを見たものであり、受話器側の筐体の図示は省略してある。８は図示しない受話器側の筐体が接続されるヒンジ部である。
【０００５】
フロントケース３には送受信用の回路基板５が取り付けられており、この回路基板５の上には後述するアンテナ６からの信号が入力されるアンテナ接続パターン１３がある。また、アンテナ接続パターン１３がある回路基板５の近傍のフロントケース３にはボス部９が設けられている。更に、回路基板５のヒンジ部８側にはスピーカ等の電気モジュールが搭載された内部フレーム４が取り付けられる。
【０００６】
アンテナ６はフロントケース３のヒンジ部８側の端部に、送受信回路基板５と所定の距離を隔てて取り付けられる。これは、ＷＣＤＭＡ方式の携帯電話においては、アンテナ６と送受信回路基板５のアンテナ接続パターン１３との間には所定の距離が必要であるという理由によるからである。従って、アンテナ６と送受信回路基板５のアンテナ接続パターン１３との接続は、別部材の接続端子１０、この例ではアンテナばね１０によって行われる。アンテナばね１０はフロントケース３のボス部９の上に載せられ、その上にアンテナ６が置かれて、リヤケース２を挿通されたねじ７によってボス部９に共締めされる。
【０００７】
図２（ａ）は、図１に示したリヤケース２とフロントケース３を備えた送話器側の筐体を組み立てた状態のアンテナばね１０の部分の部分拡大断面図である。アンテナばね１０がフロントケース３のボス部９の上に載せられ、その上にアンテナ６が置かれて、リヤケース２を挿通されたねじ７によってボス部９に共締めされると、アンテナ６とアンテナばね１０の本体部１１とは共締めによる接触で電気的に導通する。そして、アンテナばね１０の本体部１１から下方に延伸されたレッグ部１２はばね性を有しているので、レッグ部１２の先端部がフロントケース３の上に取り付けられた送受信回路基板５のアンテナ接続パターン１３に圧接する。
【０００８】
【特許文献１】特開２０００−１１４８３３
【発明の開示】
【発明が解決しようとする課題】
【０００９】
ところが、アンテナばね１０がフロントケース３のボス部９の上に載せられ、その上にアンテナ６が置かれて、リヤケース２を挿通されたねじ７によってボス部９に共締めされる場合、アンテナ６とアンテナばね１０の本体部１１との共締めが緩かったり、緩んだりすると、アンテナ６が電気的に送受信回路基板５に接続されない虞があった。これを図２（ｂ）を用いて説明する。
【００１０】
図２（ｂ）は図２（ａ）と同じ部位を示すものであり、ねじ７による締め付け力が弱かった場合の状態を示すものである。ねじ７による締め付け力が十分でないと、アンテナ６とアンテナばね１０の本体部１１とが共締めされず、アンテナ６が送受信回路基板５に接続されない。この結果、携帯電話の通話に支障が生じるという問題点があった。
【００１１】
そこで本発明は、内蔵アンテナと送受信回路基板とを、内蔵アンテナにねじによって共締めされたアンテナばねを使用して接続する方式の携帯電話のような電子機器において、アンテナと回路基板との接続のような導電体とこの導電体から離れた位置にある回路基板との接続を、アンテナとアンテナばねとの共締め力が弱い場合でも、確実に行わせることが可能な接続端子を提供することを目的としている。
【課題を解決するための手段】
【００１２】
前記目的を達成する本発明の接続端子の第１の形態は、平板状の本体部と、この本体部が属する平面から離れる方向に本体部から延伸されたレッグ部とを備え、ばね性を有する金属で形成された接続端子であって、本体部が導電体にねじで共締めされ、レッグ部が導電体から水平方向及び垂直方向に離れた位置にある、回路基板上に設けられた回路パターンに接触することによって、導電体を回路基板に電気的に接続する接続端子において、本体部に、レッグ部の延伸方向と反対方向に延伸したアーム部を、少なくとも１本設けたことを特徴とする接続端子である。
【００１３】
第２の形態は、第１の形態の接続端子において、導電体と接続端子の本体部は、ねじによって回路基板が取り付けられる筐体に突設されたボス部にねじ止めされることを特徴とする接続端子である。
【００１４】
第３の形態は、第１又は第２の形態の接続端子において、本体部が矩形であり、レッグ部が本体部の一辺に突設され、アーム部が本体部の他の３つの辺の少なくとも１辺に設けられていることを特徴とする接続端子である。
【００１５】
第４の形態は、第１から第３の形態の何れかの形態における、導電体が携帯電話の筐体内に設けられたアンテナであり、回路基板が携帯電話の送受信回路基板であり、アンテナは送受信回路基板と重ならない位置に設けられることを特徴とする接続端子である。
【００１６】
第５の形態は、第１から第４の形態の何れかの形態におけるアーム部の先端部に、折れ曲がり部が形成されていることを特徴とする接続端子である。
【発明の効果】
【００１７】
本発明の接続端子によれば、内蔵アンテナと送受信回路基板とを、内蔵アンテナにねじによって共締めされたアンテナばねを使用して接続する方式の携帯電話のような電子機器において、アンテナと回路基板との接続のような導電体とこの導電体から離れた位置になる回路基板との接続を、アンテナとアンテナばねとの共締め力が弱い場合でも、確実に行わせることができるという効果がある。
【発明を実施するための最良の形態】
【００１８】
以下、図面を用いて本発明の好適な実施の形態を、具体的な実施例に基づいて詳細に説明する。なお、以下に説明する実施例では、電子機器として折り畳み式の携帯電話を例にとって説明する。また、図１で説明した従来例の携帯電話１と同じ構成部材には同じ符号を付して説明する。
【００１９】
図３は、本発明の携帯電話１の、リヤケース２とフロントケース３を備えた送話器側の筐体のみを見たものであり、受話器側の筐体の図示は省略してある。８は図示しない受話器側の筐体が接続されるヒンジ部である。
【００２０】
フロントケース３には送受信用の回路基板５が取り付けられており、この回路基板５の上にはアンテナ６からの信号が入力されるアンテナ接続パターン１３がある。また、アンテナ接続パターン１３がある回路基板５の近傍のフロントケース３には、ボス部９がフロントケース３に一体的に設けられている。更に、回路基板５のヒンジ部８側にはスピーカ等の電気モジュールが搭載された内部フレーム４が取り付けられる。
【００２１】
この携帯電話１は、ＷＣＤＭＡ方式の携帯電話であるので、アンテナ６はフロントケース３のヒンジ部８側の端部に、送受信回路基板５と所定の距離を隔てて取り付けられている。よって、アンテナ６と送受信回路基板５のアンテナ接続パターン１３との接続は、別部材の接続端子１０、この第１の実施例ではアンテナばね１０によって行われる。アンテナばね１０はフロントケース３のボス部９の上に載せられ、その上にアンテナ６が置かれて、リヤケース２を挿通されたねじ７によってボス部９に共締めされる。
【００２２】
図４（ａ）は、図３に示したフロントケース３にアンテナばね１０とアンテナ６を取り付けた状態を示すものであり、図４（ｂ）は図４（ａ）の要部を拡大して示すものである。図４（ｂ）に示すように、アンテナばね１０はフロントケース３のボス部９の上に載せられ、その上にアンテナ６が置かれている。この状態では、アンテナばね１０の本体部１１から下方に延伸されたばね性を有するレッグ部１２は、その湾曲した先端部がフロントケース３の上に取り付けられた送受信回路基板５のアンテナ接続パターン１３に圧接している。また、アンテナばね１０の本体部１１から上方に延伸されたアーム部１４がアンテナ６に接触している。
【００２３】
図５（ａ）は、図４に示したリヤケース２とフロントケース３を備えた送話器側の筐体を組み立てた状態のアンテナばね１０の部分の部分拡大断面図である。アンテナばね１０がフロントケース３のボス部９の上に載せられ、その上にアンテナ６が置かれて、リヤケース２を挿通されたねじ７によってボス部９に正常に共締めされると、アンテナ６とアンテナばね１０の本体部１１とは共締めによる接触で電気的に導通する。この状態では、ばね性を有するアーム部１４もアンテナ６に押圧された状態になる。そして、アンテナばね１０の本体部１１から下方に延伸されたレッグ部１２はばね性を有しているので、レッグ部１２の湾曲した先端部がフロントケース３の上に取り付けられた送受信回路基板５のアンテナ接続パターン１３に圧接する。
【００２４】
一方、アンテナばね１０がフロントケース３のボス部９の上に載せられ、その上にアンテナ６が置かれて、リヤケース２を挿通されたねじ７によってボス部９に共締めされる場合、アンテナ６とアンテナばね１０の本体部１１との共締めが不完全で緩かった場合は、図５（ｂ）に示すように、アンテナ６とアンテナばね１０の本体部１１とが共締めされない。ところが、本発明のアンテナばね１０に、上方に延伸されたばね性を有するアーム部１４が設けられているので、アンテナ６とアンテナばね１０の本体部１１とが接触しなくても、アンテナ６はアーム部１４を介して本体部１１に電気的に接続する。この結果、携帯電話の通話に支障が生じることがない。
【００２５】
図６（ａ）は図３から図５に示した本発明の第１の実施例のアンテナばね１０の構成を示す平面図であり、（ｂ）は（ａ）に示したアンテナばねの側面図である。第１の実施例のアンテナばね１０は本体部１１が矩形であり、レッグ部１２はこの本体部１１の一辺から下方に延伸されて設けられている。そして、アーム部１４はレッグ部１２が設けられた辺に対向する辺に２本、上方に延伸されて設けられている。このため、第１の実施例のアンテナばね１０は、本体部１１に設けられた貫通孔１７の周囲が共締めによるアンテナ６との接点ＣＰとなり、アーム部１４の先端部に２個所の追加接点ＡＰが設けられることになる。第１の実施例のアーム部１４の先端部は湾曲している。
【００２６】
図６（ｃ）は本発明の第２の実施例のアンテナばね１０の構成を示す平面図である。第２の実施例のアンテナばね１０は本体部１１は矩形であり、レッグ部１２はこの本体部１１の一辺に第１の実施例と同様に設けられている。そして、アーム部１４はレッグ部１２が設けられた辺に対向する辺に２本突設されており、残りの辺の一方に更に２本のアーム部１５が設けられている。このため、第２の実施例のアンテナばね１０では、本体部１１に設けられた貫通孔１７の周囲が共締めによるアンテナ６との接点ＣＰとなり、アーム部１４の先端部に２個所、アーム部１５の先端部に２個所の合計４箇所の追加接点ＡＰが設けられることになる。
【００２７】
図６（ｄ）は本発明の第３の実施例のアンテナばね１０の構成を示す平面図である。第３の実施例のアンテナばね１０も本体部１１は矩形であり、レッグ部１２はこの本体部１１の一辺に第１の実施例と同様に設けられている。そして、アーム部１４はレッグ部１２が設けられた辺に対向する辺に２本突設されており、残りの辺の一方に更に２本のアーム部１５が、他方に１本のアーム部１６が設けられている。このため、第３の実施例のアンテナばね１０では、本体部１１に設けられた貫通孔１７の周囲が共締めによるアンテナ６との接点ＣＰとなり、アーム部１４の先端部に２個所、アーム部１５の先端部に２個所、アーム部１６の先端部に１個所の合計５箇所の追加接点ＡＰが設けられることになる。
【００２８】
前述の実施例では、携帯電話に内蔵されたアンテナをアンテナばねを使用して送受信回路基板に接続する構成を説明したが、本発明の接続端子は携帯電話のアンテナと送受信回路基板との接続以外にも、他の電子機器における回路基板から離れた導電体を回路基板に接続する場合にも適用することができる。図７は本発明を携帯電話以外の電子機器に適用した他の実施例を示すものである。
【００２９】
図７に示す実施例では、電子機器の筐体３の上に取り付けられた回路基板５に接続パターン１３が設けられており、筐体３には回路基板５の近傍にボス部９が突設されている。４は他の回路が搭載された内部フレームであり、外部に対してシールドが必要な回路であるとする。この場合、内部フレーム４の外側には、シールド板２０が配置される。このシールド板２０には貫通孔２１が設けられており、筐体３に取り付けられるリヤケース２の取付孔２２にねじ７が挿通される。
【００３０】
シールド板２０とボス部９の間には接続端子１０が挿入され、シールド板２０を回路基板５の接続パターン１３に接続する。この実施例の接続端子１０にも貫通孔１７のある本体部１１、ばね性を備えたレッグ部１２、及び、ばね性を備えたアーム部１５，１６が設けられている。レッグ部１２とアーム部１５，１６の本体部１１に対する延伸方向は逆である。
【００３１】
この実施例の接続端子１０も前述の携帯電話に使用されたアンテナばね１０と同様の機能を備えており、ねじ７によるシールド板２０と接続端子１０のボス部９への共締めが緩くても、シールド板２０をアーム部１５，１６によって本体部１１に接続し、レッグ部１２を介してシールド板２０を回路基板５に確実に接続することができる。
【００３２】
以上、接続端子として、携帯電話におけるアンテナばねによるアンテナと回路基板との接続及び電子機器のシールド板の回路基板への接続例を説明したが、接続端子の利用個所としてはこれらの例に限定されるものではなく、筐体内に回路基板とこの回路基板に接続すべき導電体が回路基板から離れて存在する場合に、本発明の接続端子は有効に適用可能である。
【００３３】
以上、本発明を特にその好ましい実施の形態を参照して詳細に説明した。本発明の容易な理解のために、本発明の具体的な形態を以下に付記する。
【００３４】
（付記１）  平板状の本体部と、この本体部が属する平面から離れる方向に前記本体部から延伸されたレッグ部とを備え、ばね性を有する金属で形成された接続端子であって、前記本体部が導電体にねじで共締めされ、前記レッグ部が前記導電体から水平方向及び垂直方向に離れた位置にある、回路基板上に設けられた回路パターンに接触することによって、前記導電体を前記回路基板に電気的に接続する接続端子において、前記本体部に、前記レッグ部の前記延伸方向と反対方向に延伸したアーム部を、少なくとも１本設けたことを特徴とする接続端子。
（付記２）  付記１に記載の接続端子であって、
前記導電体と前記接続端子の本体部は、前記ねじによって前記回路基板が取り付けられる筐体に突設されたボス部にねじ止めされることを特徴とする接続端子。
（付記３）  付記２に記載の接続端子であって、
前記導電体と前記接続端子の本体部は、前記回路基板が取り付けられる筐体に被せられるケースに設けられた取付孔を挿通した後のねじによって共締めされることを特徴とする接続端子。
（付記４）  付記１から３の何れかに記載の接続端子であって、
前記本体部が矩形であり、前記レッグ部が前記本体部の一辺に突設され、前記アーム部が前記本体部の他の３つの辺の少なくとも１辺に設けられていることを特徴とする接続端子。
（付記５）  付記１から４の何れかに記載の接続端子であって、
前記導電体が携帯電話の筐体内に設けられたアンテナであり、
前記回路基板が前記携帯電話の送受信回路基板であり、
前記アンテナは、前記送受信回路基板と重ならない位置に設けられることを特徴とする接続端子。
（付記６）  付記５に記載の接続端子であって、
前記送受信回路基板の前記アンテナ側の端部には、別の回路部品を搭載する内部フレームが取り付けられることを特徴とする接続端子。
（付記７）  付記１から６の何れかに記載の接続端子であって、
前記アーム部の先端部に湾曲した折れ曲がり部が形成されていることを特徴とする接続端子。
【図面の簡単な説明】
【００３５】
【図１】内蔵アンテナ、アンテナばね、及び送受信用の回路基板を備えた従来の携帯電話の送話器側の構成を分解して示す組立斜視図である。
【図２】（ａ）は図１の内蔵アンテナと回路基板とを接続するアンテナばねの部分の正常時の構成を示す部分拡大断面図であり、（ｂ）は（ａ）の異常時の構成を示す部分拡大断面図である。
【図３】内蔵アンテナ、本発明のアンテナばね、及び送受信用の回路基板を備えた本発明の携帯電話の送話器側の構成を分解して示す組立斜視図である。
【図４】（ａ）は図３の内蔵アンテナとアンテナばねを回路基板に取り付けた状態を示す斜視図、（ｂ）は（ａ）の要部の部分拡大図である。
【図５】（ａ）は共締めが正常に行われた時の本発明のアンテナばねの動作を示す断面図、（ｂ）は共締めが正常に行われなかった時の本発明のアンテナばねの動作を示す断面図である。
【図６】（ａ）は本発明のアンテナばねの第１の実施例の構成を示す平面図、（ｂ）は（ａ）に示したアンテナばねの側面図、（ｃ）は本発明のアンテナばねの第２の実施例の構成を示す平面図、（ｄ）は本発明のアンテナばねの第３の実施例の構成を示す平面図である。
【図７】本発明の他の実施例の接続端子が使用された電子機器の分解斜視図である。
【符号の説明】
【００３６】
１    携帯電話
２    リヤケース
３    フロントケース
４    内部フレーム
５    回路基板
６    アンテナ
７    ねじ
１０    アンテナばね
１１    本体
１２    レッグ部
１３    アンテナ接続パターン
１４，１４，１６    アーム部
２０    シールド板
【図１】
2007035361.tif 000003
【図２】
2007035361.tif 000004
【図３】
2007035361.tif 000005
【図４】
2007035361.tif 000006
【図５】
2007035361.tif 000007
【図６】
2007035361.tif 000008
【図７】
2007035361.tif 000009